(57)【特許請求の範囲】
【請求項１】
乗員検知用の面状アンテナをシートパッドの座面部に備え、そのシートパッドを表皮材，ワディング材から積層形成されるトリムカバーで被包する乗員検知用アンテナ付きシートにおいて、
上記トリムカバーの表皮材と積層されるワディング材の厚み内から面状アンテナの面積に相当する部分のワディング材を別部材に分けて形成し、その別部材のワディング材に重ね合わせて面状アンテナを備え、且つ、当該別部材のワディング材をシートパッドの所定位置に取り付け、更に、シートパッドをトリムカバーで被ってトリムカバーのワディング材と別部材のワディング材とを組み合せると共に、面状アンテナをトリムカバーのワディング材と別部材のワディング材との層間に備え付けたことを特徴とする乗員検知用アンテナ付きシート。
【請求項２】
上記面状アンテナの面積に相当する部分のワディング材を相対的に厚く分けて形成し、その別部材のワディング材をトリムカバーの相対的に薄いワディング層と組み合せて、面状アンテナをトリムカバーのワディング材と別部材のワディング材との層間に備え付けたことを特徴とする請求項１に記載の乗員検知用アンテナ付きシート。
【発明の詳細な説明】
【０００１】
【発明の属する技術分野】
本発明は、所定の乗員の着座を検知する乗員検知用の面状アンテナを内部に備える乗員検知用アンテナ付きシートに関するものである。
【０００２】
【従来の技術】
図８で示すように面状アンテナ１をシートバック２の座部面に備えると共に、加圧センサー３をシートクッション４の座部面に備え、これらから人間が着座した時に発生する静電容量を感知することにより乗員の有無並びに乗員が大人か，子供か等を判別し、エアーバックの展開，不展開を制御するシステム機構を装備する乗員検知用アンテナ付きシートを構成することが企画されている。
【０００３】
この乗員検知用アンテナ付きシートにおいては、面状アンテナの取付けに関して取付位置の精度が高いことが要求され、また、アンテナ出力の関係からシートの座部表面までの距離を近付け、更に、当該アンテナを組み付けないものと同等の着座感が得られることが要求される。
【０００４】
従来、この種の電気乃至は電子機器を備えるシートとしてはシートヒータを挙げることができる。そのシートヒータはヒータ本体をシートパッドに直接貼り付けるか、トリムカバーを形成するワディング材の内面側に取り付けるか、トリムカバーの表皮材と積層形成されるワディング材を二層に分けて層間に介装させることによりトリムカバーと一体に形成するかのいずれかによって備え付けられている。
【０００５】
そのシートヒータの取付構造を面状アンテナの取付けに適用する場合、シートパッドに直接貼り付けることによると、取付位置の精度並びに当該アンテナを組み付けないものと同等の着座感については満足できるが、シートの座部表面までの距離については満足できない。
【０００６】
また、ワディング材の内面側に取り付けることによると、厚いワディング材の場合には着座感は満足できるが、取付位置の精度並びにシートの座部表面までの距離については満足できない。一方、薄いワディング材の場合にはシートの座部表面までの距離は満足できるが、取付位置の精度並びに着座感については満足できない。
【０００７】
更に、トリムカバーを形成するワディング材の層間に介装することによると、シートの座部表面までの距離並びに着座感については満足できるが、取付位置の精度については満足できない。このため、上述したシートヒータの取付構造ではいずれによっても、面状アンテナの取付けに要求される条件の全てを同時に満たすことはできない。
【０００８】
【発明が解決しようとする課題】
本発明は、面状アンテナの取付けについて取付位置の精度、シートの座部表面までの距離、当該アンテナを組み付けないものと同等の着座感のいずれも共に満たせられる乗員検知用アンテナ付きシートを提供することを目的とする。
【０００９】
また、本発明は面状アンテナの取付けについて取付位置の精度、着座感を満たせられると共に、シートの座部表面までの距離をより近付けられる乗員検知用アンテナ付きシートを提供することを目的とする。
【００１０】
【課題を解決するための手段】
本発明の請求項１に係る乗員検知用アンテナ付きシートにおいては、トリムカバーの表皮材と積層されるワディング材の厚み内から面状アンテナの面積に相当する部分のワディング材を別部材に分けて形成し、その別部材のワディング材に重ね合わせて面状アンテナを備え、且つ、当該別部材のワディング材をシートパッドの所定位置に取り付け、更に、シートパッドをトリムカバーで被ってトリムカバーのワディング材と別部材のワディング材とを組み合せると共に、面状アンテナをトリムカバーのワディング材と別部材のワディング材との層間に備え付けることにより構成されている。
【００１１】
本発明の請求項２に係る乗員検知用アンテナ付きシートにおいては、面状アンテナの面積に相当する部分のワディング材を相対的に厚く分けて形成し、その別部材のワディング材をトリムカバーの相対的に薄いワディング層と組み合せて、面状アンテナをトリムカバーのワディング材と別部材のワディング材との層間に備え付けることにより構成されている。
【００１２】
【発明の実施の形態】
以下、添付図面を参照して説明すると、図１で示す実施の形態としては図８で示すものと同様に面状アンテナをシートバックの座部面に備えると共に、加圧センサーをシートクッションの座部面に備え、人間が着座した時に発生する静電容量を感知することにより、乗員の有無、乗員が大人か，子供か等を判別し、エアーバックの展開，不展開を制御するシステム機構を構成するべく、面状アンテナ１をシートバック２に備え付けるものが示されている。
【００１３】
面状アンテナ１は、図２で示すように静電容量感知用のアンテナ本体１０をアンテナ基布１１と一体化したもので、座面上部，座面下部並びに車体側部側の土手用１ａ〜１ｃに分けて形成されている。また、その面状アンテナ１はアンテナ本体１０のターミナル１２より導出するハーネス１３，カプラー１４を付属部品として備えることにより構成されている。この面状アンテナ１はアンテナ本体１０を座部面に取付け配置し、ターミナル１２よりハーネス１３を座部面に設けた収容空間に組み付けることによりシートバック２のシートパッド２０に装備される。
【００１４】
その面状アンテナ１はトリムカバーを形成するウレタンスラブ等のワディング材の層間に備えるべく、図３で示すように面状アンテナ１を備える面積に相当するワディング材２１ａ〜２１ｃがトリムカバー２２の表皮材２２ａと積層されるワディング材の厚み内から別部材に分けて備えられている。このワディング材２１ａ〜２１ｃはシートパッド２０に取り付けられるもので、個別に形成された面状アンテナ１の座面上部，座面下部並びに車体側部側の土手用１ａ〜１ｃを接着固定可能な面積に形成されている。
【００１５】
そのワディング材２１ａ〜２１ｃは、トリムカバー２２の表皮材２２ａと積層される通常厚み１２ｍｍ程度のワディング材から相当部分を略均等厚みに二分するものであってもよい。好ましくは、トリムカバー２２の表皮材２２ａと積層される側の相当部分２３ｂの厚みよりも厚く形成するとよい。
【００１６】
図示実施の形態では面状アンテナ１の厚み分を除いて、表皮材との積層側は面状アンテナ１の座部表面までの距離を近付けるべく３ｍｍ厚み程度に、面状アンテナ１を貼り合わせるワディング材２１ａ〜２１ｃは形態を保持可能な８ｍｍ厚み程度に形成されている。この厚み設定は上述した面状アンテナ１を備える面積相当部分のもので、一般面のワディング材は通常通り１２ｍｍ厚み程度であり、各ワディング材２１ａ〜２１ｃに対応する部分は一般面の面積内を凹状に窪ませ成形することにより薄いワディング層２２ｂとして形成すればよい。
【００１７】
その面状アンテナ１（１ａ〜１ｃ）を装備するシートパッド２０には、図４，図５で示すように収容空間２０ａ〜２０ｃが座部面より段下げさせて設けられている。この収容空間２０ａ〜２０ｃは、面状アンテナ１のターミナル１２よりハーネス１３を組付け可能な形状に合わせて形成すればよい。
【００１８】
例えば、座面上部，座面下部用の面状アンテナ１ａ，１ｂに対しては縦長な凹状のものを土手部との臨界部寄りの座部面に設け、また、土手側の面状アンテナ１ｃに対しては方形のフラットなものをトリムカバーの吊込み溝２０ｄに亘って設けるようにできる。その収容空間２０ａ〜２０ｃには、ハーネス１３を含むカプラー１４をシートパッド２の背面側に引き出す通し穴２０ｅが内底面に設けられている。
【００１９】
その収容空間２０ａ〜２０ｃを付属部品の組付状態で覆うべく、図３で示すようにウレタンスラブ等で形成されたワディング材２３ａ〜２３ｃが備えられている。このワディング材２３ａ〜２３ｃは、収容空間２０ａ〜２０ｃを覆ってシートパッド２０の座部面に取り付けることにより空間部位を保形できるよう形成されている。そのワディング材２３ａ〜２３ｃは、上述したワディング材２１ａ〜２１ｃと同様にトリムカバー２２の表皮材２２ａと積層されるワディング材の厚み内から付属部品の収容空間２０ａ〜２０ｃを覆う別部材に分けて形成されている。
【００２０】
その各部から面状アンテナ１（１ａ〜１ｃ）をシートパッド２０に取り付けるには、図６で示すようにアンテナ本体１０はアンテナ基布１１でワディング材２１ａ〜２１ｃの表側に接着固定するようにできる。また、ワディング材２１ａ〜２１ｃはシートパッド２０の座部面に貼り合わせて取り付けることができる。これにより、面状アンテナ１（１ａ〜１ｃ）はシートバック２乃至はシートパッド２０の座面部において高い精度に位置合わせさせて簡単に備え付けられる。
【００２１】
その面状アンテナ１（１ａ〜１ｃ）のハーネス１３は、図１で示すようにターミナル１２から曲げ込んでシートパッド２０の座部面と土手面との臨界部に設けた収容空間２０ａ（座部面上部側のみ図示）組み付け、カプラーは収容空間の内底面に設けた通し穴よりシートパッド２０の背面側に引き出すことにより外部配線と接続すればよい。このターミナル１２からハーネス１３の組付け後、アンテナ本体１０の曲込み部分を挾み込んで収容空間２０ａを覆うワディング材２３ａをワディング材２１ａと隣接させてシートパッド２０の座部面に貼り合わせることにより該空間部位を保形する。
【００２２】
そのシートパッド２０には図７で示すようなトリムカバー２２を被せると、このトリムカバー２２は薄いワディング層２２ｂを含む一般面のワディング材を表皮材２２ａの内側に一体に積層形成したものでなるから、図１で示すように面状アンテナ１を層間に介在させて薄いワデイング層２２ｂとワディング材２１ａとが組み合わさる。それと同様に  ワディング材２３ａもトリムカバー２２の薄いワデイング層と組み合わさることにより、トリムカバー２２のワディング材としては一般面を含む全体を均等厚みに保つことができる。
【００２３】
このように構成する乗員検知用アンテナ付きシートでは、上述したように面状アンテナ１を別部材のワディング材２１ａでシートパッド２０に高精度に位置決め装備できるのに加えて、少なくとも通常厚みのワディング材を二層２１ａ，２２ｂに分けた層間に介在させることにより面状アンテナ１の取付位置を座部表面に近付けることができる。また、座面部は一般面を含む全体を均等厚みに保つワディング材によるトリムカバー２２で形成されるから、当該アンテナを組み付けないものと同等の着座感が得られる。
【００２４】
殊に、ワディング材としては表皮材２２ａとの積層側２２ｂを薄く、シートパッド２０に取り付ける別部材のワディング材２３ａを厚く形成したものを組み合わせることから、面状アンテナ１の取付位置を座部表面により近付けられる。また、この場合であっても、座面部は一般面を含む全体を均等厚みに保つワディング材によるトリムカバー２２で形成できるため、上述したと同様に当該アンテナを組み付けないものと同等の着座感が得られる。
【００２５】
【発明の効果】
以上の如く、本発明の請求項１に係る乗員検知用アンテナ付きシート依れば、面状アンテナを別部材のワディング材でシートパッドに取り付けることにより高精度に位置決め装備でき、また、その面状アンテナを通常厚みのワディング材から二層に分けた層間に介在させるため、面状アンテナの取付位置を座部表面に近付けでき、更に、座面部は一般面を含む全体を均等厚みに保つワディング材によるトリムカバーで形成できるるから、当該アンテナを組み付けないものと同等の着座感が得られる。
【００２６】
本発明の請求項２に係る乗員検知用アンテナ付きシート依れば、トリムカバーを形成するワディング材として表皮材との積層側を薄く、シートパッドに対する接着固定側を厚く形成したものを組み合わせることから、面状アンテナの取付位置を座部表面により近付けられ、面状アンテナの取付位置精度並びに着座感も十分満足のできるものに構成することができる。
【図面の簡単な説明】
【図１】本発明の実施の形態に係る乗員検知用アンテナ付きシートを示す部分断面図である。
【図２】図１の乗員検知用アンテナ付きシートを構成する面状アンテナを示す斜視図である。
【図３】図１の乗員検知用アンテナ付きシートを構成するワディング材を示す斜視図である。
【図４】図１の乗員検知用アンテナ付きシートを構成するシートパッドを右側から示す斜視図である。
【図５】図１の乗員検知用アンテナ付きシートを構成するシートパッドを左側から示す斜視図である。
【図６】図１の乗員検知用アンテナ付きシートを構成する面状アンテナを備えたシートパッドを示す斜視図である。
【図７】図１の乗員検知用アンテナ付きシートを構成するトリムカバーを示す斜視図である。
【図８】図１の乗員検知用アンテナ付きシートの基本形態をシート全体で示す説明図である。
【符号の説明】
１                面状アンテナ
２０              シートパッド
２１ａ〜２１ｃ    別部材のワディング材
２２              トリムカバー
【図１】
0003616947.tif 000002
【図２】
0003616947.tif 000003
【図３】
0003616947.tif 000004
【図４】
0003616947.tif 000005
【図５】
0003616947.tif 000006
【図６】
0003616947.tif 000007
【図７】
0003616947.tif 000008
【図８】
0003616947.tif 000009